(57)【特許請求の範囲】
【請求項１】
所定大の金属板の内部にセンサーを閉込めて床板差込型に形成した温度センサーと、当該温度センサーを差込める差込穴を長手方向一側面に形成した温度感知用床板と、前記差込穴内に温度センサーとともに差し込められる湾曲した板ばねとからなり、板ばねで温度センサーの下面を上方へ押圧し、当該センサー上面を差込穴内面に圧着させて温度センサーを温度感知用床板に固定することを特徴とする床板の温度感知構造。
【請求項２】
前記センサーに白金測温抵抗体を用いたことを特徴とする請求項１に記載の床板の温度感知構造。
【請求項３】
前記差込穴を温度感知用床板の長手方向一側面の略中央に設けたことを特徴とする請求項１または２に記載の床板の温度感知構造。
【請求項４】
所定大の金属板の内部にセンサーを閉込めて床板差込型に形成した温度センサーと、当該温度センサーを差込める差込穴を長手方向一側面に形成した温度感知用床板と、前記差込穴内に温度センサーとともに差し込められる湾曲した板ばねとを準備し、温度感知用床板をレールの底部に挿入すると共に、上面をレール横幅に合致する大きさに凹ませてなる載置部上にレールの底面を位置させて当該床板を固定し、その上で下面に板ばねが装着された前記温度センサーを板ばねとともに差込穴に差込み、板ばねで温度センサーを上方へ押圧し、当該センサー上面を差込穴内面に圧着させて温度センサーを温度感知用床板に固定することによって床板の温度感知を行う床板の温度感知方法。
【請求項５】
前記差込穴を温度感知用床板の長手方向一側面の略中央に設けたことを特徴とする請求項４に記載の床板の温度感知方法。
【発明の詳細な説明】
【０００１】
【発明の属する技術分野】
本発明は、床板加熱型レールヒーターで加熱した床板の温度感知を行うための床板の温度感知構造及びその温度感知方法に関するものである。
【０００２】
【従来の技術】
鉄道レールの凍結防止、雪害防止等を目的として従来から床板加熱型のレールヒーターが使用されている。この床板加熱型のヒーターは分岐器レールの底面に敷設された枕木とレールとの間に所定大の床板を挿入し、その長手方向両側面にヒーターを装着することによって床板を加熱し、これによりレール及びその周囲を加温するものである。
【０００３】
この床板には、当該ヒーターの電力供給量を調節するため、電力供給及び停止を指定の温度（作動温度）を境にして切換えるための細長い棒状の温度感知用センサーが、当該分岐器に敷設された床板の適宜箇所に取付けられている。
【０００４】
【発明が解決しようとする課題】
しかしながら、このセンサーは床板の両側面に取付けた２本のヒーターのうち一本を取外してその箇所に取付けられるため、センサーを取付けた床板は片側一本のヒーターだけで加熱することとなり、他の床板に比べて加熱作用が半減されていた。
【０００５】
また、センサーは残置されているヒーターの反対側で温度を感知することになるため、床板の実際の温度（平均的床板温度）が作動温度をかなり越えてからでないとセンサーが作動温度を感知せず、結果的に床板を余分に加熱してしまい、電力節減効果を弱めてしまうという問題があった。またセンサーが床板の側面に取り付けてあるため外気の影響を受けやすく、センサーの感知温度と平均的床板温度と差がさらに大きくなっていた。
【０００６】
そこで本発明は、上記従来の問題点がセンサーの形状と、当該センサーを用いた床板の温度感知の方法にあることに着眼してなされたものであり、温度感知を正確に行うための床板の温度感知構造と、その温度感知方法を提供することを目的として行われたものである。
【0007】
【課題を解決するための手段】
上記課題の解決のため本発明は、所定大の金属板の内部にセンサーを閉込めて床板差込型に形成した温度センサーと、当該温度センサーを差込める差込穴を長手方向一側面に形成した温度感知用床板と、前記差込穴内に温度センサーとともに差し込められる湾曲した板ばねとからなり、板ばねで温度センサーの下面を上方へ押圧し、当該センサー上面を差込穴内面に圧着させて温度センサーを温度感知用床板に固定する床板の温度感知構造を特徴とするものである。この構造によると、温度感知用床板の両側にヒータを直接取付けることができ、当該床板の差込穴に温度センサーを差込むと金属板の表面を通してセンサーが床板の温度を感知する。
【０００８】
また前記センサーは白金測温抵抗体を用いるのが好ましく、さらに、前記差込穴を温度感知用床板の長手方向一側面の略中央に設けるのが最も好ましいものとなる。これにより、温度センサーの感知温度を平均的床板温度に極めて近いものとすることができる。
【０００９】
また本発明は、所定大の金属板の内部にセンサーを閉込めて床板差込型に形成した温度センサーと、当該温度センサーを差込める差込穴を長手方向一側面に形成した温度感知用床板と、前記差込穴内に温度センサーとともに差し込められる湾曲した板ばねとを準備し、温度感知用床板をレールの底部に挿入すると共に、上面をレール横幅に合致する大きさに凹ませてなる載置部上にレールの底面を位置させて当該床板を固定し、その上で下面に板ばねが装着された前記温度センサーを板ばねとともに差込穴に差込み、板ばねで温度センサーを上方へ押圧し、当該センサー上面を差込穴内面に圧着させて温度センサーを温度感知用床板に固定することによって床板の温度感知を行う床板の温度感知方法を特徴とするものである。この方法では、差込穴を温度感知用床板の長手方向一側面の略中央に設けてあるのが好ましい。
【００１０】
【発明の実施の形態】
以下、本発明の床板の温度感知構造と床板の温度感知方法の一実施例について図面を用いて説明する。
【００１１】
本発明の床板の温度感知構造は、図１及び図２に示す床板差込型の温度センサー１と、図３に示す温度感知用床板２とからなるものである。
温度センサー１は図１に示すように所定大に形成した矩形状の金属製板体３の長手方向一端部に、電気回路（図示せず）を内蔵した電源保護ケース４を固着一体的に設けると共に、板体３の内部にセンサー５を閉込め、電源保護ケース４に内蔵した電気回路とセンサー５とを電気的に接続したものである。なお板体３の裏面には取付用の板バネ６を装着してある。
【００１２】
板体３はその内部にセンサー５を適当に蛇行配設すると共に、シリコンゴム等の適宜な充填材７を充填することによりセンサー５を閉込めてあり、その表面温度を全体にわたり、略均一に感知できるようにしてある。
【００１３】
センサー５は、高精度及び長期に亘る安定度を重視して白金線を用いた白金測温抵抗体を用いてある。その他には例えば熱電対、測温抵抗素子を用いることができる。
板ばね６は所定大の矩形状金属薄板を板体３の短手方向に適度に湾曲させてなるもので、その湾曲面の長手方向に沿った頂上部分を板体３の裏面に対して溶接する等して固着してある。
【００１４】
温度感知用床板２は長手方向一側面の略中央から温度センサー１の板体３を差込み得るように適宜な幅、奥行き及び高さを持たせて形成した差込穴８を設けると共に、その上面にレールの横幅に略合致する大きさに適宜凹ませてなる載置部２ａを形成したものである。
【００１５】
以上のような構成からなる温度センサー１と、温度感知用床板２とは以下のようにして使用する。
先ず、図４に示す如く床板２をレールの底部へ挿入して床板２の載置部２ａ上にレールａの底面を位置させた上で固定する。次いで、板ばね６を適宜たわませながら板体３を差込穴８に差込んで電源保護ケース４が床板２の一側部に当接するようにして温度センサー１を固定し、電源保護ケース４内の電気回路を通してセンサー５に通電しておく。このとき、温度センサー１は所定の固定金具（図示せず）を用いて固定する。これにより、温度センサー１は板ばね６により圧着状態で差込穴８の内側から床板２に固定されることになる。
そして、床板２の短手方向の両端部にヒーターＡ、Ａを取付けることによって床板２の加熱を行う。
【００１６】
こうして温度センサー１を使用して床板２の温度感知を行うと、床板２の両側にヒーターＡ、Ａを直接取付けることができるので、加熱作用を半減させず十分に床板２を加熱することができる。また温度センサー１がヒーターＡ，Ａの略中央で温度を感知すると共に、板体３の平面部分が広く差込穴８の内側から床板２に接し、その表面を通しセンサー５が床板２の温度感知をするため、温度センサー１が感知する温度を平均的床板温度に極めて近いものとすることができる。
【００１７】
したがって、温度センサー１によって作動温度近傍の温度を感知してヒーターＡ、Ａに供給される電力の供給をきめ細かく制御することができる。この場合、電力消費量を従来の約７０％以下にまで削減することが可能となる。
また温度センサー１は差込穴８に差込んで固定するため取付け後は床板２と一体化され、脱落等による事故防止を図ることも可能となる。
【００１８】
また、温度センサー１の取付は従来から使用されている床板を本発明の温度感知用床板２に取替えるというごく簡単な作業以外は特に手間がかからないので、温度センサー１の取付を極めて簡易かつ短時間で行うことができるし、温度センサー１のその後のメンテナンスも容易に行うことができる。なお板体３を圧着状態で固定するための構成は上記板ばね６に限られるものではなく、差込穴８の中に別途金属板を挿入したり、差込穴８の厚みを温度センサー１の厚みに略合致させておく等しても良い。
【図面の簡単な説明】
【図１】本発明の温度センサーを示しており、（Ａ）は斜視図、（Ｂ）は右側面図である。
【図２】図１のＩＩ−ＩＩ  線断面図である。
【図３】本発明の温度感知用床板を示しており（Ａ）は平面図、（Ｂ）は正面図、（Ｃ）は右側面図である。
【図４】本発明の温度センサーの使用状態の一例を示す斜視図である。
【符号の説明】
１        温度センサー
２        温度感知用床板
３        板体
４        電源保護ケース
５        センサー
６      板ばね
８        差込穴
【図１】
0003607391.tif 000002
【図２】
0003607391.tif 000003
【図３】
0003607391.tif 000004
【図４】
0003607391.tif 000005